(57)【特許請求の範囲】
【請求項１】
一方の部材の表面に他方の部材を位置決めして固定する部材取付構造であって、一方の部材に、他方の部材の周縁をガイドしながら所定の位置に案内する２つの位置決め片と、他方の部材に形成された凹部に係合して他方の部材を固定する切起爪とが形成され、位置決め片は、対向するように配置され、両位置決め片の間に、隙間が形成され、切起爪は、先端が持ち上がるように切り起こされた片持ち状とされ、切起爪の両側に、切起爪とは逆方向に切り出されたアーチ状の張出片が形成されたことを特徴とする部材取付構造。
【請求項２】
一方の部材の表面に他方の部材を位置決めして固定する部材取付構造であって、一方の部材に、他方の部材を所定の位置に位置決めする２つの位置決め片が設けられ、該位置決め片は、他方の部材の形状に合わせて切り起こされて形成され、対向して配置された２つの位置決め片によって囲まれた空間の一側は、他方の部材を所定の位置に案内するために他方の部材の周縁を挿入可能なように開放され、前記空間の他側は閉じられ、他側において両位置決め片の間に、隙間が形成され、他方の部材に、一方の部材の表面に対向して凹部が形成され、一方の部材に、前記凹部に係合して他方の部材を固定する切起爪が設けられ、該切起爪は、先端が表面から持ち上がるように片持ち状に切り起こされて形成され、切起爪を挟んで両側に、切起爪とは逆方向の裏面側に向かって切り出されたアーチ状の張出片が形成されたことを特徴とする部材取付構造。
【発明の詳細な説明】
【０００１】
【発明の属する技術分野】
本発明は、２つの部材を位置決めしながら固定する取付構造に関する。
【０００２】
【従来の技術】
２つの金属製部材同士を取り外し可能なように固定する方法として、図７に示すように、固定部材１に対して取付部材２をねじ３によって所定の位置に固定する。図中、４は取付部材２が回転しないようにする回転止め、５ａ、５ｂはねじ孔である。あるいは、図８に示すように、固定部材１に一対の孔６を形成し、取付部材２に脚７を形成して、脚７を孔６に挿入してから脚７を曲げることにより、固定部材1に取付部材2をかしめによって所定の位置に固定する。
【０００３】
【発明が解決しようとする課題】
前者の方法では、両部材のねじ孔が一致するように取付部材の位置合わせを行ってから、ねじをドライバによって締め付ける作業となる。後者の方法でも、脚と孔の位置を合わせてから、治具あるいは工具を用いて脚を曲げ、かしめるといった作業となる。
【０００４】
いずれの方法においても、位置決めが必要であり、さらに治具、工具が必要であるため、取付作業が面倒である。そこで、本発明は、上記に鑑み、治具や工具を用いずに簡単に２つの部材を固定することができる部材取付構造を提供することを目的とする。
【０００５】
【課題を解決するための手段】
本発明による課題解決手段は、一方の部材の表面に他方の部材を位置決めして固定するために、一方の部材に、他方の部材の周縁をガイドしながら所定の位置に案内する位置決め片と、他方の部材に形成された凹部に係合して他方の部材を固定する切起爪とがそれぞれ一体的に形成されたものである。
【０００６】
位置決め片は、他方の部材の形状に合わせて切り起こされて形成され、他方の部材の周縁が挿入可能なように、他方の部材が挿入される一側が開き、他側が閉じられている。他方の部材は、位置決め片によりガイドされるとともに、所定の位置まで達したときに移動を規制されるので、所定の位置に位置決めされる。
【０００７】
切起爪は、先端が持ち上がるように片持ち状に切り起こされて形成され、他方の部材の挿入方向への移動に対しては撓むことによって妨げず、逆方向である取り出す方向への移動に対しては凹部に係合して抵抗となり、抜け止めとしての機能を果たす。なお、凹部は、貫通した孔あるいは凹みとされる。
【０００８】
切起爪の根元部の近傍には、切起爪とは逆方向に切り出された張出片が形成され、切起爪の弾性力を高めるようになっている。すなわち、張出片の存在により、切起爪に力がかかったとき、切起爪の根元部への応力集中を緩和することができ、切起爪は弾性変形しやすくなる。そのため、他方の部材を挿入するとき、軽い力で切起爪を撓ませることができる。
【０００９】
【発明の実施の形態】
本発明の２つの部材を位置決めして固定するための取付構造を説明する。図１〜４に示すように、金属製固定部材１の平坦面に、金属製取付部材２を所定の位置に案内する位置決め片１０と、取付部材２を係合して固定する切起爪１１とが形成されている。取付部材２では、固定部材１の平坦面に対向する底板１２に、切起爪１１が係合する係合孔１３が形成されている。
【００１０】
位置決め片１０は、固定部材１の一部を切り起こし、折曲して形成され、固定部材１の平坦面に垂直な立壁１４と、これに連設された上壁１５とから構成される。平坦面から上壁１５までの高さは、取付部材２の底板１２の肉厚より少し大きく設定される。そして、位置決め片１０は、取付部材２の矩形状の底板１２を取り囲むように、底板１２に合わせてＬ字状に形成されている。
【００１１】
このような位置決め片１０が、取付部材２を固定すべき所定の位置に対向するように配置される。２つの位置決め片１０によって囲まれた空間は、一側が開放され、他側が閉じたものとなり、一側から取付部材２が挿入可能とされ、他側では移動が規制される。２つの位置決め片１０の立壁１４の間隔は、取付部材２の底板１２の幅と同じか少しだけ大きくされ、取付部材２の底板１２の両側縁をガイドする。また、位置決め片１０の上壁１５の一側は上向きに広げられて、取付部材２が挿入しやすくなっている。これにより、位置決め片１０は、取付部材１を所定の位置まで案内する機能を奏する。
【００１２】
切起爪１１は、２つの位置決め片１０によって囲まれた空間の中央に位置し、固定部材１の一部を一側から他側に向かう長板状に切り起こして形成される。切起爪１１は、先端が切り離され根元部がつながった片持ち状態とされ、先端が表面側に持ち上げられ、一側から他側に向かって徐々に高くなっている。
【００１３】
切起爪１１を挟んで両側には、裏面側に向かって切り出されたアーチ状の張出片１６が形成される。これによって、切起爪１１の根元部１１ａの両側は、切り欠かれた状態となり、切起爪１１が撓む際に固定部材１からの制約を受けない。
【００１４】
次に、２つの部材の固定方法を説明する。取付部材２の底板１２の両側縁を両位置決め部材１０に合わせ、取付部材２を一側から他側に向かって押し込む。両側縁が位置決め部材１０に挿入されてガイドされ、底板１２が切起爪１１に当接すると、切起爪１１が底板１２によって押し下げられ、裏面側に撓む。さらに底板１２を挿入し続けると、底板１２の係合孔１３が切起爪１１の上方に達する。すると、切起爪１１への規制がなくなるので、切起爪１１は弾性力によって元の状態に復元して、係合孔１３に入り込む。このとき、底板１２の他側は位置決め片１０に当接するので、これ以上の挿入ができなくなり、所定の位置に位置決めされる。そして、切起爪１１が係合孔１３に係合することによって、抜け止めとなり、底板１２は一側に向かって移動できなくなる。このように取付部材２は固定部材１に対して所定の位置に固定される。
【００１５】
ここで、張出片１６の役割について説明する。一般的に図５に示すような爪２０を切り起こしただけの場合、爪２０の根元部２０ａが固定部材１から完全に切り離されていないため、爪２０の本体部分の長さＬ１が短くなる。爪２０の撓み量はこの部分の長さに関係するので、取付部材２が爪２０の上を通過するとき爪２０は撓みにくくなり、結果的に取付部材２の挿入には多大な力を要する。
【００１６】
一方、図６に示すように、切起爪１１の両側に張出片１６を設けておくと、切起爪１１の根元部１１ａの両側は固定部材１から切り離され、変形しやすく、また本体部分の長さＬ１も上記の場合よりも長くなり、切起爪１１の撓みやすさが増大する。そのため、取付部材２の通過によって切起爪１１は容易に撓み、軽く押すだけで取付部材２を挿入することができる。しかも、切起爪１１とは逆向きに張出片１６が張り出しているので、切起爪１１の裏面側への撓みに伴って張出片１６には逆に表面側に向かう応力がかかるので、切起爪１１が元の状態に復元するとき、張出片１６の復元力が作用して、切起爪１１の復元性が高まり、すばやく復帰させることができる。
【００１７】
取付部材２を固定部材１から取り外す場合は、切起爪１１を押し下げて、取付部材２を一側に向かって押し出す。取付部材２の底板１２が切起爪１１を押えながら上を通過していき、位置決め片１０から取付部材２が抜け出し、取付部材２は取り外される。このとき、他側の両位置決め片１０の間に隙間１７が形成されているので、一方の手で切起爪１１を押すと同時に他方の手で隙間１７から底板１２を一側に押すことができ、取り外し作業が行いやすくなる。
【００１８】
なお、本発明は、上記実施形態に限定されるものではなく、本発明の範囲内で上記実施形態に多くの修正および変更を加え得ることは勿論である。２つの部材の材質は、切起爪が弾力性を有すればよいので、金属製に限らずプラスチック製であってもよい。また、位置決め片の配置、形状は、取付部材の底板の形状に対応させればよく、例えば円形であれば、丸くする。
【００１９】
【発明の効果】
以上の説明から明らかな通り、本発明によると、治具や工具を必要としないで一方の部材を他方の部材に持っていく動作により、２つの部材を容易に位置決め固定することができる。また、切起爪と張出片との組み合わせにより、切起爪の弾性を有効に活用でき、軽い力でスムーズに作業することができる。
【００２０】
そして、位置決め片、切起爪、張出片は、１つの部材の一部を切り起こしたり、切り出したりして形成されたものであるので、固定用の部品が不要となり、簡単な構造にすることができる。
【図面の簡単な説明】
【図１】本発明の一実施形態の固定前の固定部材および取付部材の斜視図
【図２】固定前の固定部材および取付部材の断面図
【図３】固定後の固定部材および取付部材の断面図
【図４】固定後の固定部材および取付部材の平面図
【図５】一般的な爪を示し、（ａ）は斜視図、（ｂ）は断面図
【図６】切起爪および張出片の断面図
【図７】２つの部材をねじによって固定した例を示し、（ａ）は斜視図、（ｂ）は断面図
【図８】２つの部材をかしめによって固定した例を示し、（ａ）は斜視図、（ｂ）は断面図
【符号の説明】
１    固定部材
２    取付部材
１０    位置決め片
１１    切起爪
１２    底板
１３    係合孔
１６    張出片
【図１】
0004647848.tif 000002
【図２】
0004647848.tif 000003
【図３】
0004647848.tif 000004
【図４】
0004647848.tif 000005
【図５】
0004647848.tif 000006
【図６】
0004647848.tif 000007
【図７】
0004647848.tif 000008
【図８】
0004647848.tif 000009